【事件の表示】
　特願２０１９−　４３２６１「円偏光板および屈曲可能な表示装置」拒絶査定不服審判事件〔令和　１年　６月１３日出願公開、特開２０１９−　９１０９１〕について、次のとおり審決する。
【結　論】
　本件審判の請求は、成り立たない。
【理　由】
第１　事案の概要
　１　手続等の経緯
　特願２０１９−４３２６１号（以下「本件出願」という。）は、平成２６年１月２１日（先の出願に基づく優先権主張　平成２５年２月７日）に出願された特願２０１４−８５６８号の一部を平成３１年３月１１日に新たな特許出願としたものであって、その手続等の経緯の概要は、以下のとおりである。
令和２年　３月　４日付け：拒絶理由通知書
令和２年　４月３０日付け：意見書
令和２年　４月３０日付け：手続補正書
令和２年　５月２１日付け：拒絶査定（以下「原査定」という。）
令和２年　８月３１日付け：審判請求書
令和２年　８月３１日付け：手続補正書
　２　本願発明
　本件出願の請求項１〜請求項３に係る発明は、令和２年８月３１日にした手続補正後の特許請求の範囲の請求項１〜請求項３に記載された事項によって特定されるとおりのものであるところ、その請求項１に係る発明（以下「本願発明」という。）、次のものである。
　
　「　円偏光板を備える屈曲可能な表示装置であって、該円偏光板は、
　偏光子と、該偏光子の一方の側に配置された位相差フィルムとを備え、
　該位相差フィルムの面内位相差が、Ｒｅ（４５０）＜Ｒｅ（５５０）＜Ｒｅ（６５０）の関係を満たし、
　該位相差フィルムの遅相軸方向が該表示装置の屈曲方向に対して２０°〜７０°の角度を規定するように調整されており、
　該位相差フィルムが、ポリカーボネート樹脂またはポリビニルアセタール樹脂から形成され、
　該位相差フィルムの光弾性係数の絶対値が、２×１０−１２（ｍ２／Ｎ）以上であり、
　表示装置の屈曲方向が、長手方向または長手方向に直交する方向であり、
　屈曲状態に拘束する状態が解かれた状態において、曲率半径５ｍｍ〜１５ｍｍのいずれかの曲率半径で屈曲させ、２５℃、湿度５０％の環境で２４時間保持した後の屈曲部分と平坦部分の面内位相差値の差が２ｎｍ以下である、
　表示装置。」
（当合議体注：令和２年８月３１日付け手続き補正書による補正は、特許法第１７条の２第５項第１号に規定する「請求項の削除」を目的とするものである。）
　３　原査定の理由
　原査定の拒絶の理由は、概略、本願発明は、先の出願前に日本国内又は外国において、頒布された刊行物に記載された発明又は電気通信回線を通じて公衆に利用可能となった発明に基づいて、先の出願前にその発明の属する技術の分野における通常の知識を有する者（以下「当業者」という。）が容易に発明をすることができたものであるから、特許法２９条２項の規定により特許を受けることができない、という理由を含む。
引用文献２：米国特許出願公開第２０１２／００３７９２８号明細書
引用文献３：特開２０１２−１３４１１７号公報
引用文献４：国際公開第２０１２／０７７６６３号
（当合議体注：引用文献２が主引用例である。引用文献３及び引用文献４は、周知技術を示すために例示されたものである。）
第２　当合議体の判断
　１　引用文献の記載及び引用発明
　(1) 引用文献２の記載
　原査定の拒絶の理由において引用された米国特許出願公開第２０１２／００３７９２８号明細書（引用文献２）は、先の出願前に日本国内又は外国において頒布された刊行物であるところ、そこには、以下の記載がある。なお、下線は当合議体が付したものであり、引用発明の認定や判断等に活用した箇所を示す。
　ア　「[0002]　1. Field
[0003]　Provided are anti-reflection films for a foldable display device and foldable display devices employing the same, and more particularly, anti-reflection films that are sufficiently flexible to be applied to a foldable display device and foldable display devices employing the same.」
（日本語訳）
「[0002]　１．技術分野
[0003]　折り畳み可能な表示装置のための反射防止フィルム、及びそれを使用する折り畳み可能な表示装置、並びに、より具体的には、
折り畳み可能な表示装置に適用されるように、十分に可撓性を有する反射防止フィルム
を使用する折り畳み可能な表示装置が提供され
イ　「[0004]　2. Description of the Related Art
[0005]　Generally, when there is external light, the external light is reflected or scattered on an image displaying surface of a general display device, and thus visibility of an image displayed on the display device decreases. Therefore, such a problem of scattering or reflection needs to be resolved. Especially, along with the developments in mobile devices, such as mobile phones, personal digital assistants (PDAs), laptops, or the like, display devices are more frequently used in the outside environment with abundant external light. Therefore, a need to resolve such a problem is increasing.
[0006]　Various suggestions have been made to resolve scattering/reflection of external light as stated above. For example, in the case of an organic light-emitting diode (OLED) display device, a method of attaching an anti-reflection film on the image displaying surface of the OLED display device is generally used. Anti-reflection films of various structures are being developed. Such an anti-reflection films may absorb light reflected/scattered on the image displaying surface of a display device and transmit only the image displayed on the display device. Therefore, images displayed by a display device may be viewed more clearly.
[0007]　Along with the developments in organic light emitting materials and bendable organic transistors, portable display devices that may be folded or rolled are being commercialized. For example, various foldable display devices mainly employing an OLED are being developed. It is necessary to attach anti-reflection films as stated above to the foldable display devices. However, materials for anti-reflection films developed hitherto are relatively weak to bending, and thus anti-reflection films may be damaged by repeatedly folding and unfolding the foldable display devices. For example, anti-reflection films generally employ tri-acetyl cellulose for a protective film and elongated polycarbonate (PC) for a light phase delay film, where such materials are hard materials and are easily broken when bent.
（日本語訳）
「[0004]　２．関連技術の説明
[0005]　一般に、外光がある場合、一般的な表示装置の画像表示面では、外光が反射または散乱して、表示装置に表示される画像の視認性が低下する。したがって、このような散乱や反射の問題を解決する必要がある。特に、携帯電話、携帯情報端末（「ＰＤＡｓ」）、ラップトップ等のモバイルデバイスの発展に伴い、表示装置は、外光の多い屋外環境で使用されることが多くなってきている。そのため、このような問題を解決する必要性が高まっている。
[0006]　上記のような外光の散乱／反射を解消するために、様々な提案がなされている。例えば、有機発光ダイオード（「ＯＥＬＤ」）表示装置の場合、ＯＥＬＤ表示装置の画像表示面に反射防止フィルムを貼り付ける方法が一般的に用いられている。様々な構造の反射防止フィルムが開発されている。このような反射防止フィルムは、表示装置の画像表示面で反射／散乱された光を吸収し、表示装置に表示された画像のみを透過させることができる。したがって、表示装置により表示された画像をより鮮明に見ることができる。
[0007]　有機発光材料や折り曲げ可能な有機トランジスタの開発に伴い、折り畳み可能またはロール状にできる携帯型表示装置が実用化されている。例えば、ＯＬＥＤを主に用いた様々な折り畳み可能な表示装置が開発されている。このような折り畳み可能な表示装置には、上述したような反射防止フィルムを貼り付ける必要がある。しかしながら、
これまでに開発された反射防止フィルムの材料は、比較的曲げに弱いため、折り畳み可能な表示装置の折り畳みと展開を繰り返すことにより、反射防止フィルムが破損する可能性がある。例えば、反射防止フィルムは、保護フィルムにはトリアセチルセルロース、光位相遅延フィルムには延伸されたポリカーボネート（「ＰＣ」）を採用するのが一般的であるが、このような材料は硬い材料であり、折り曲げたときに破損しやすい。
ウ　「　　SUMMARY
[0008]　Provided are anti-reflection films that are sufficiently flexible to be applied to a foldable display device.
[0009]　Provided are foldable display devices employing the same.
・・・略・・・
[0011]　Provided is an anti-reflection film including a light phase delay film which changes phase of incident light, a polarizing film which is arranged on the light phase delay film and only transmits light with a polarization component in a particular direction, and a protective film which is arranged on the polarizing film to protect the polarizing film. The light phase delay film, the polarizing film, and the protective film include flexible materials.
・・・略・・・
[0015]　In an embodiment, it may be possible to bend or curve the anti-reflection film around a folding axis, and the elongation direction of the PVA film may be perpendicular to an elongation direction of the folding axis.
・・・略・・・
[0019]　Provided is a foldable display device includes a foldable display panel, and an anti-reflection film which is attached on an image displaying surface of the foldable display panel and prevents scattering/reflection of external light. The anti-reflection film includes a light phase delay film which changes phase of incident light, a polarizing film which is arranged on the light phase delay film and only transmits light with a polarization component in a particular direction, and a protective film which is arranged on the polarizing film to protect the polarizing film. The light phase delay film, the polarizing film, and the protective film include flexible materials.
[0020]　In an embodiment, the foldable display panel may be an organic light-emitting diode (OLED) panel.
[0021]　In an embodiment, the light phase delay film of the anti-reflection film may be arranged close to the image displaying surface of the foldable display panel, and the protective film may be arranged away from the image displaying surface of the foldable display panel.」
（日本語訳）
「　　概要
[0008]　折り畳み可能な表示装置に適用可能な十分な可撓性を有する反射防止フィルムが提供される。
[0009]　上記反射防止フィルムを採用した折り畳み可能な表示装置が提供される。
・・・略・・・
[0011]　入射光の位相を変化させる光位相遅延フィルムと、光位相遅延フィルム上に配置され、偏光成分を有する光を特定の方向にのみ透過させる偏光フィルムと、偏光フィルム上に配置され、偏光フィルムを保護する保護フィルムとを含む、反射防止フィルムが提供される。光位相遅延フィルム、偏光フィルム、保護フィルムは可撓性材料を含んでいる。
・・・略・・・
[0015]　一実施形態では、折り曲げ軸を中心に、反射防止フィルムを折り曲げまたは湾曲させることが可能な場合があり、ＰＶＡフィルムの延伸方向は、折り曲げ軸の伸長方向に対して垂直であってもよい。
・・・略・・・
[0019]　折り畳み可能な表示装置であって、折り畳み可能な表示パネルと、折り畳み可能な表示パネルの画像表示面に貼り付けられ、外光の散乱／反射を防止する反射防止フィルムとを含んでいる、折り畳み可能な表示装置が提供される。反射防止フィルムは、入射光の位相を変化させる光位相遅延フィルムと、光位相遅延フィルム上に配置され、偏光成分を有する光を特定の方向にのみ透過させるに偏光フィルムと、偏光フィルム上に配置され、偏光フィルムを保護する保護フィルムとを含んでいる。光位相遅延フィルム、偏光フィルム及び保護フィルムは可撓性材料を含んでいる。
[0020]　一実施形態では、折り畳み可能な表示パネルは、有機発光ダイオード（「ＯＬＥＤ」）パネルであってもよい。
[0021]　一実施形態では、反射防止フィルムの光位相遅延フィルムは、折り畳み可能な表示パネルの画像表示面に近接して配置されてもよく、保護フィルムは、折り畳み可能な表示パネルの画像表示面から離れて配置されていてもよい。」
エ　「　　BRIEF DESCRIPTION OF THE DRAWINGS
[0022]
・・・略・・・
[0023]　FIG. 1 schematically shows an embodiment of an anti-reflection film according to the present invention;
[0024]　FIG. 2 shows an embodiment where the anti-reflection film shown in FIG. 1 is applied to a foldable display device;
[0025]　FIG. 3 is a diagram for describing the principle that scattered/reflected lights are blocked when the anti-reflection film shown in FIG. 1 according to the present invention, is attached to the foldable display device as shown in FIG. 2;
[0026]　FIG. 4 shows an example of relationships between directions of elongating a material of a polarizing film of the anti-reflection film as shown in FIG. 1, and a folding axis of the anti-reflection film」
（日本語訳）
「　　図面の簡単な説明
[0022]
・・・略・・・
[0023]　図１は、本発明による反射防止フィルムの実施形態を概略的に示す。
[0024]　図２は、図１に示した反射防止フィルムを折り畳み可能な表示装置に適用した一実施形態を示す。
[0025]　図３は、本発明に従って図１に示した反射防止フィルムを図２に示した折り畳み可能な表示装置に貼り付けた場合に、散乱光／反射光が遮断される原理を説明するための概略図である。
[0026]　図４は、
図１に示す反射防止フィルムの偏光フィルムの材料を延伸する方向と反射防止フィルムの折り曲げ軸との関係の一例を示す。
オ　「　　DETAILED DESCRIPTION
[0029]　Reference will now be made in detail to embodiments, examples of which are illustrated in the accompanying drawings, wherein like reference numerals refer to the like elements throughout.
・・・略・・・
[0032]　・・・略・・・The device may be otherwise oriented (rotated 90 degrees or at other orientations) and the spatially relative descriptors used herein interpreted accordingly.
[0033]　
・・・略・・・
[0036]　・・・略・・・The use of any and all examples, or exemplary language (e.g., such as), is intended merely to better illustrate the invention and does not pose a limitation on the scope of the invention unless otherwise claimed. No language in the specification should be construed as indicating any non-claimed element as essential to the practice of the invention as used herein.
[0037]　Hereinafter, the invention will be described in detail with reference to the accompanying drawings.
[0038]　
FIG. 1 schematically shows an embodiment of an anti-reflection film 30 according to an embodiment of the present invention.
the anti-reflection film 30
may include a light phase delay film 31, a polarizing film 32, and a protective film 33 directly on a release film 20 in the order stated.
When the completed anti-reflection film 30 is attached to an image displaying surface of a display device, the release film 20 may be removed.
[0039]　
The light phase delay film 31 may be formed by elongating a soft material, such as cyclo-olefin polymer (COP), in a direction
[0040]　As a result of the phase of the light with a first polarization component and the phase of the light with a second polarization component gradually differing from each other as the lights travel within the elongated COP film, when the lights escape from the elongated COP film, there is a phase difference formed between the phase of the light with a first polarization component and the phase of the light with a second polarization component. Therefore, when light polarized in a direction at an angle to the direction in which the polymers are aligned (that is, the direction in which the COP film is elongated) travels in the COP film and escapes from the COP film, the polarization state of the light may be changed from the original state.
[0041]　The phase difference between the light with the first polarization component and the light with the second polarization component may determined by a thickness and a degree of elongation of the light phase delay film 31. According to embodiments of the present invention, 
the thickness and the degree of elongation of the light phase delay film 31 may be selected such that the phase difference is λ/4 (λ is the wavelength of incident light)
 the light phase delay film 31 may function as a quarter-wave plate.
[0042]　
The polarizing film 32 may be formed by elongating a soft material, such as polyvinyl alcohol (PVA), in a direction.
[0043]　Since PVA is water-soluble and flammable, PVA may be easily deteriorated by moisture and oxygen in the air. Furthermore, since PVA has relatively weak mechanical strength, PVA may be easily damaged by external impact. Therefore, to protect the polarizing film 32, the protective film 33 may further be disposed directly on the polarizing film 32. In one embodiment, for example, 
the protective film 33 may include a flexible material with excellent water resistance and light transmittance and no double refractivity, e.g., a COP film or a polyethylene terephthalate 
film that is not elongated.
[0044]　As described above, in the embodiment of the antireflection film 30 according to the present invention, 
all of the light phase delay film 31, the polarizing film 32, and the protective film 33 include materials with flexibility and softness. As a result, the anti-reflection film 30 shown in FIG. 1 receives a relatively small amount stress from repetitive folding and unfolding, and thus the anti-reflection film 30 is not easily damaged and no mark of folding the anti-reflection film 30 may remain.
[0045]　FIG. 2 shows an embodiment where the anti-reflection film 30 shown in FIG. 1 is applied to a foldable display device 100. Referring to FIG. 2, 
the foldable display device 100 may include a foldable display panel 50, such as an organic light-emitting diode 
 panel, and the antireflection film 30, which is directly attached to an image displaying surface of the foldable display panel 50.
with respect to the image displaying surface of the foldable display panel 50, the light phase delay film 31 is close to the image displaying surface of the foldable display panel 50, and the protective film 33 is far from the image displaying surface of the foldable display panel 50.
the light phase delay film 31 is directly on and contacting the image displaying surface of the foldable display panel 50.
[0046]　・・・略・・・As described above, by using the anti-reflection film 30 which may be folded without being damaged, the foldable display device 100 may display clear images even in an outside environment with abundant external light. Furthermore, the foldable display device 10 may be bent or folded without risk of damaging the anti-reflection film 30.
（日本語訳）
「　【発明の詳細な説明】
[0029]　ここで、添付の図面にその実施例が示されている実施形態を詳細に参照する。ここでは、同様の参照数字は、全体を通して同様の要素を指している。
・・・略・・・・
[0032]・・・略・・・装置は、他の配向（９０度回転または他の向き）であってもよく、本明細書で使用される空間的に相対的な記述子は、それに応じて解釈してもよい。
[0033]
・・・略・・・
[0036]・・・略・・・任意の及び全ての具体例、または例示的な文言（例えば、「など」）の使用は、単に本発明をより良く例示することを意図しており、別段の主張がない限り、本発明の範囲に制限を与えるものではない。明細書中のいかなる文言も、本明細書で使用される本発明の実施に不可欠なものとして、特許請求されていない要素を示すものと解釈されるべきではない。
[0037]　以下、添付図面を参照して本発明を詳細に説明する。
[0038]　
図１は、本発明の一実施形態による反射防止フィルム３０の一実施形態を概略的に示す。
反射防止フィルム３０は、光位相遅延フィルム３１、偏光フィルム３２及び保護フィルム３３を、この順序で、離型フィルム２０上に直接含んでもよい。
完成した反射防止フィルム３０が表示装置の画像表示面に貼り付けられる時、離型フィルム２０は除去され
[0039]　
光位相遅延フィルム３１は、
軟質材料、例えばシクロオレフィンポリマー
など、を１つの方向に延伸させて形成してもよい。
[0040]　第１の偏光成分を有する光の位相と第２の偏光成分を有する光の位相が、光が延伸されたＣＯＰフィルム内を移動するにつれて徐々に互いに異なることとなる結果として、光が延伸されたＣＯＰフィルムから脱出する際には、第１の偏光成分を有する光の位相と第２の偏光成分を有する光の位相との間に位相差が形成される。そのため、ポリマーが配向される方向（すなわち、ＣＯＰフィルムが伸長する方向）に対してある角度をなして１つの方向に偏光した光が、ＣＯＰフィルム内を進行し、ＣＯＰフィルムから脱出する際に、光の偏光状態が最初の状態から変化する場合がある。
[0041]　第１の偏光成分を有する光と第２の偏光成分を有する光との位相差は、光位相遅延フィルム３１の厚さと延伸の程度によって決定されてもよい。本発明の実施形態によれば、
光位相遅延フィルム３１の厚さ及び延伸の程度は、位相差がλ／４（λは入射光の波長）となるように選択され
光位相遅延フィルム３１は、１／４波長板として機能し
[0042]　
偏光フィルム３２は、軟質材料、例えばポリビニルアルコール
など
を１つの方向に延伸することによって形成され
ＰＶＡフィルムが延伸される方向にＰＶＡフィルムの表面上に整列する場合がある。ヨウ素分子は二色性であるため、ヨウ素分子は、ＰＶＡフィルムが延伸される方向に振動する偏光成分により光を吸収し、ＰＶＡフィルムが延伸される方向と直交する方向に振動する偏光成分により光を透過してもよい。
[0043]　ＰＶＡは水溶性で可燃性であるため、空気中の水分や酸素によって劣化しやすい。さらに、ＰＶＡは機械的強度が比較的弱いため、外部からの衝撃により破損しやすい場合がある。したがって、偏光フィルム３２を保護するために、保護フィルム３３が、さらに、偏光フィルム３２上に直接配置されてもよい。一実施形態では、例えば、
保護フィルム３３は、耐水性及び光透過性に優れ、かつ複屈折性を有さない可撓性材料
例えば、ＣＯＰフィルムまたはポリエチレンテレフタレート
フィルムであって、延伸されていないもの、を含んでもよい。
[0044]　以上のように、
本発明による反射防止フィルム３０の実施形態では、光位相遅延フィルム３１、偏光フィルム３２、保護フィルム３３の全てが可撓性と軟質性とを有する材料を含んでいる。その結果として、図１に示す反射防止フィルム３０は、折り畳みと展開とを繰り返すことに伴い、比較的少量の応力を受け、反射防止フィルム３０が破損しにくく、反射防止フィルム３０を折り畳んだ跡が残らない
[0045]　
図２は、図１に示した反射防止フィルム３０が折り畳み可能な表示装置１００に適用される実施形態を示す
折り畳み可能な表示装置１００は、有機発光ダイオード
パネルのような折り畳み可能な表示パネル５０と、折り畳み可能な表示パネル５０の画像表示面に直接貼り付けられる反射防止フィルム３０とを含んでいて
、折り畳み可能な表示パネル５０の画像表示面に対して、光位相遅延フィルム３１は折り畳み可能な表示パネル５０の画像表示面に近く、保護フィルム３３は折り畳み可能な表示パネル５０の画像表示面から離れている。
光位相遅延フィルム３１は、折り畳み可能な表示パネル５０の画像表示面に直接、接触している。
[0046]　・・・略・・・以上のように、破損することなく折り畳むことができる反射防止フィルム３０を用いることで、折り畳み可能な表示装置１００は、外光の多い屋外環境であっても鮮明な画像を表示することができる。さらに、折り畳み可能な表示装置１００は、反射防止フィルム３０を破損するおそれなく折り曲げや折り畳みが可能である。」
カ　「[0047]　FIG. 3 is a diagram for describing the principle that scattered/reflected lights are blocked when the anti-reflection film 30 shown in FIG. 1 according to the present invention, is attached to the foldable display device 100 as shown in FIG. 2. FIG. 3 only shows the light phase delay film 31 and the polarizing film 32 of the anti-reflection film 30 for convenience of description. Referring to FIG. 3, external light, which is externally incident to the anti-reflection film 30 (indicated by the downward outlined arrow), becomes a linearly polarized light ( double headed horizontal arrow) having a polarization component in a particular direction as the light passes through the polarizing film 32. Next, the linearly polarized light passes through the light phase delay film 31. As described above, the light phase delay film 31 functions as a ? wavelength plate. Therefore, linear polarization is changed to circular polarization as the light passes through the light phase delay film 31. Next, as the circularly polarized light is reflected by a reflection plate 10 (indicated by the upward outlined arrow), the direction of polarization is reversed (double headed vertical arrow). In embodiments, for example, left-circular polarization is changed to right-circular polarization, or vice versa. Although simply shown as the reflection plate 10 in FIG. 3, the reflection plate 10 may be equivalent to the image displaying surface of the foldable display panel 50 or a reflective electrode (not shown) within the foldable display panel 50.
[0048]　The circularly polarized light, of which the direction of polarization is reversed as the circularly polarized light is reflected by the reflection plate 10, is changed to a linearly polarized light as the circularly polarized light passes through the light phase delay film 31 again. Here, the direction of polarization of the linearly polarized light is perpendicular to the direction in which the light was initially polarized after the light has passed through the polarizing film 32. Therefore, light, which is reflected by the reflection plate 10 and has passed through the light phase delay film 31, cannot pass through the polarizing film 32 and is absorbed thereby. As a result, light externally incident to the anti-reflection film 30 cannot escape to the outside through the anti-reflection film 30. On the contrary, light incident to the anti-reflection film 30 from a display panel below the anti-reflection film 30 may pass through the anti-reflection film 30. Therefore, a viewer may view clear images from which an external light component is removed.」
（日本語訳）
　「[0047]　図３は、
本発明に従って図１に示した反射防止フィルム３０を図２に示した折り畳み可能な表示装置１００に貼り付けた場合に、散乱光／反射光が遮断される原理
反射防止フィルム３０に外部から入射した外光
は、その光が偏光フィルム３２を通過することにより、特定の方向に偏光成分を有する直線偏光
となる。次に、直線偏光は、光位相遅延フィルム３１を通過する
光位相遅延フィルム３１は、１／４波長板として機能する
たがって、光が光位相遅延フィルム３１を通過することにより、直線偏光が円偏光に変化する
次に、円偏光した光が反射板１０で反射されると
偏光の方向が逆になる
[0048]　
円偏光が反射板１０で反射されることにより偏光方向が逆になる円偏光は、円偏光が再び光位相遅延フィルム３１を通過することにより、直線偏光に変化する。ここで、直線偏光光の偏光方向は、光が偏光フィルム３２を通過した後、光が最初に偏光していた方向と直交する。したがって、反射板１０で反射されて光位相遅延フィルム３１を通過した光は、偏光フィルム３２を通過することができず、それによって吸収される。
の結果、反射防止フィルム３０に外部から入射した光は、反射防止フィルム３０を介して外部に脱出することができない。逆に、反射防止フィルム３０の下方の表示パネルから反射防止フィルム３０に入射した光は、反射防止フィルム３０を透過することができる。
キ　「[0049]　Also, according to an embodiment of the present invention, the possibilities that the polarizing film 32 is damaged or deformed may further be reduced by suitably selecting a direction of elongating a material of the polarizing film 32, such as PVA. FIG. 4 shows an example of relationships between directions of elongating a material of the polarizing film 32 and
 a folding axis of the anti-reflection film 30 ( or, the folding axis of the foldable display device 100).
[0050]　As shown in FIG. 4, 
in the case where the direction of the folding axis of the anti-reflection film 30 and the direction in which the material of the polarizing film 32 is elongated are perpendicular to each other, stress on the polarizing film 32 when the polarizing film 32 is folded is further reduced.
the polarizing film 32 may perform its functions without being damaged or deformed even if the polarizing film 32 is repeatedly folded and unfolded for a long period of time.
（日本語訳）
　「[0049]　さらに、本発明の一実施形態によれば、偏光フィルム３２の材料、例えばＰＶＡを延伸する方向を好適に選択することにより、偏光フィルム３２が破損または変形する可能性をさらに低減することができる。図４は、偏光フィルム３２の材料を延伸する方向と、
反射防止フィルム３０の折り曲げ軸（すなわち、折り畳み可能な表示装置１００の折り曲げ軸）
[0050]　図４に示すように、
反射防止フィルム３０の折り曲げ軸の方向と偏光フィルム３２の材料が延伸される方向が互いに直交する場合には、偏光フィルム３２が折り畳まれる際に偏光フィルム３２にかかる応力がさらに低減され
偏光フィルム３２の折り畳みと展開とを長期間繰り返しても、偏光フィルム３２が破損したり変形したりすることなく、偏光フィルム３２の機能を発揮することができる。
ク　「　What is claimed is:
　1. An anti-reflection film comprising:
  a light phase delay film which changes a phase of incident light;
  a polarizing film on the light phase delay film, wherein the polarizing film only transmits light with a polarization component in a particular direction; and
  a protective film on the polarizing film, wherein the protective film protects the polarizing film,
wherein the light phase delay film, the polarizing film, and the protective film comprise flexible materials.
　2. The anti-reflection film of claim 1, wherein the light phase delay film comprises an elongated cyclo-olefin polymer film with an elongation direction.
・・・略・・・
　9. A foldable display device comprising:
 a foldable display panel; and
an anti-reflection film on an image displaying surface of the foldable display panel, wherein the anti-reflection film prevents scattering/reflection of external light,
wherein the anti-reflection film comprises:
 a light phase delay film which changes a phase of incident light;
 a polarizing film on the light phase delay film, wherein the polarizing film only transmits light with a polarization component in a particular direction; and
a protective film on the polarizing film, wherein the protective film protects the polarizing film, and the light phase delay film, the polarizing film, and the protective film comprise flexible materials.
・・・略・・・
　12. The foldable display device of claim 9, wherein the light phase delay film comprises an elongated cyclo-olefin polymer film with an elongation direction.」
（日本語訳）
「　　特許請求の範囲
　１. 反射防止フィルムであって、
　入射光の位相を変化させる光位相遅延フィルムと、前記光位相遅延フィルム上に偏光フィルムとを備え、前記偏光フィルムは、偏光成分を有する光を特定の方向にのみ透過させ、前記反射防止フィルムは、さらに前記偏光フィルム上に保護フィルムを備え、前記保護フィルムは前記偏光フィルムを保護し、前記光位相遅延フィルム、前記偏光フィルム及び前記保護フィルムは可撓性材料を備えている、反射防止フィルム。
　２. 請求項１に記載の反射防止フィルムであって、前記光位相遅延フィルムは、延伸方向に延伸されたシクロオレフィンポリマーフィルムを備えている、フィルム。
・・・略・・・
　９. 折り畳み可能な表示装置であって、折り畳み可能な表示パネルと、前記折り畳み可能な表示パネルの画像表示面上の反射防止フィルムとを備え、前記反射防止フィルムは、外光の散乱／反射を防止し、前記反射防止フィルムは、入射光の位相を変化させる光位相遅延フィルムと、前記光位相遅延フィルム上の偏光フィルムとを備え、前記偏光フィルムは、偏光成分を有する光を特定の方向にのみ透過させ、前記反射防止フィルムは、さらに前記偏光フィルム上に保護フィルムを備え、前記保護フィルムは前記偏光フィルムを保護し、前記光位相遅延フィルム、前記偏光フィルム及び前記保護フィルムは可撓性材料を備えている、表示装置。
・・・略・・・
　１２. 請求項９に記載の折り畳み可能な表示装置であって、前記光位相遅延フィルムは、延伸方向に延伸させたシクロオレフィンポリマーフィルムを備えている、表示装置。」
ケ　「ＦＩＧ．１
」
コ　「ＦＩＧ．２
」
サ　「ＦＩＧ．３
」
シ　「ＦＩＧ．４
」
　(2) 引用発明
　ア　引用文献２でいう「発明」は、「折り畳み可能な表示装置に適用されるように、十分に可撓性を有する反射防止フィルム」及び「それを使用する折り畳み可能な表示装置」である（[0003]、[0008]及び[0009]等）。
　イ　引用文献２の[0038]には、「図１」とともに、「本発明の一実施形態による反射防止フィルム３０」として、「反射防止フィルム３０」が「光位相遅延フィルム３１、偏光フィルム３２及び保護フィルム３３を、この順序で、離型フィルム２０上に直接含」むものが記載されている。
　また、引用文献２の[0039]〜[0041]、[0043]及び[0044]には、「光位相遅延フィルム３１、偏光フィルム３２及び保護フィルム３３」が、それぞれ記載・説明され、[0044]には、「本発明による反射防止フィルム３０の実施形態では、光位相遅延フィルム３１、偏光フィルム３２、保護フィルム３３の全てが可撓性と軟質性とを有する材料を含」み、「その結果として、図１に示す反射防止フィルム３０は、折り畳みと展開とを繰り返すことに伴い、比較的少量の応力を受け、反射防止フィルム３０が破損しにくく、反射防止フィルム３０を折り畳んだ跡が残らない」ことが記載されている。
　ウ　引用文献２の[0045]には、「図１に示した反射防止フィルム３０が折り畳み可能な表示装置１００に適用される実施形態を示す」「図２」とともに、「折り畳み可能な表示装置１００」が記載されている。
　また、引用文献２の[0049]〜[0050]には、「図１に示す反射防止フィルムの偏光フィルムの材料を延伸する方向と反射防止フィルムの折り曲げ軸との関係の一例を示す」「図４」とともに、「反射防止フィルム３０の折り曲げ軸（すなわち、折り畳み可能な表示装置１００の折り曲げ軸）」（[0049]）「の方向と偏光フィルム３２の材料が延伸される方向が互いに直交する場合」、「偏光フィルム３２が折り畳まれる際に偏光フィルム３２にかかる応力がさらに低減され」、「偏光フィルム３２の折り畳みと展開とを長期間繰り返しても、偏光フィルム３２が破損したり変形したりすることなく、偏光フィルム３２の機能を発揮することができる」（[0050]）ことが記載されている。
　エ　以上勘案すると、引用文献２には、「図１に示した反射防止フィルム３０が折り畳み可能な表示装置１００に適用される実施形態」の「折り畳み可能な表示装置１００」であって、「図４」に示されたように「反射防止フィルム３０の折り曲げ軸（すなわち、折り畳み可能な表示装置１００の折り曲げ軸）」「の方向と偏光フィルム３２の材料が延伸される方向が互いに直交する」関係とした、「折り畳み可能な表示装置１００」の発明（以下「引用発明」という。）として、次の発明が記載されていると認められる。
　「　有機発光ダイオードパネルのような折り畳み可能な表示パネル５０と、折り畳み可能な表示パネル５０の画像表示面に直接貼り付けられる反射防止フィルム３０とを含む、折り畳み可能な表示装置１００であって、
　反射防止フィルム３０は、光位相遅延フィルム３１、偏光フィルム３２及び保護フィルム３３を、この順序で、離型フィルム２０上に直接含み、ここで、完成した反射防止フィルム３０が表示装置１００の画像表示面に貼り付けられる時、離型フィルム２０は除去されるものであり、
　光位相遅延フィルム３１は、軟質材料、例えばシクロオレフィンポリマーなど、を１つの方向に延伸させて形成され、光位相遅延フィルム３１の厚さ及び延伸の程度は、位相差がλ／４（λは入射光の波長）となるように選択され、１／４波長板として機能し、
　偏光フィルム３２は、軟質材料、例えばポリビニルアルコールなど、を１つの方向に延伸することによって形成され、
　保護フィルム３３は、耐水性及び光透過性に優れ、かつ複屈折性を有さない可撓性材料、例えば、シクロオレフィンポリマーフィルムまたはポリエチレンテレフタレートフィルムであって、延伸されていないもの、を含み、
　反射防止フィルム３０は、光位相遅延フィルム３１、偏光フィルム３２及び保護フィルム３３の全てが可撓性と軟質性とを有する材料を含み、その結果として、折り畳みと展開とを繰り返すことに伴い、比較的少量の応力を受け、反射防止フィルム３０が破損しにくく、反射防止フィルム３０を折り畳んだ跡が残らないものであり、
　折り畳み可能な表示パネル５０の画像表示面に対して、光位相遅延フィルム３１は折り畳み可能な表示パネル５０の画像表示面に近く、保護フィルム３３は折り畳み可能な表示パネル５０の画像表示面から離れており、光位相遅延フィルム３１は、折り畳み可能な表示パネル５０の画像表示面に直接、接触し、
　反射防止フィルム３０の折り曲げ軸（すなわち、折り畳み可能な表示装置１００の折り曲げ軸）の方向と偏光フィルム３２の材料が延伸される方向が互いに直交する関係とし、偏光フィルム３２が折り畳まれる際に偏光フィルム３２にかかる応力がさらに低減され、偏光フィルム３２の折り畳みと展開とを長期間繰り返しても、偏光フィルム３２が破損したり変形したりすることなく、偏光フィルム３２の機能を発揮することができる、
折り畳み可能な表示装置１００。」
（当合議体注：「表示装置１００」及び「表示装置」との記載を、「表示装置１００」に統一した。また、「シクロオレフィンポリマー」及び「ＣＯＰ」との記載を、「シクロオレフィンポリマー」に統一した。）
　２　対比及び判断
　(1)　対比
　本願発明と引用発明を対比すると，以下のとおりである。
　ア　偏光子
　引用発明の「偏光フィルム３２」は、「軟質材料、例えばポリビニルアルコールなど、を１つの方向に延伸することによって形成され」たものである。
　「偏光フィルム３２」の「偏光」機能及び上記形成工程からみて、引用発明の「偏光フィルム３２」は、本願発明の「偏光子」に相当する。
　イ　位相差フィルム、円偏光板
（ア）　引用発明の「光位相遅延フィルム３１」は、「位相差がλ／４（λは入射光の波長）となるように選択され、１／４波長板として機能」するものである。
　そうすると、引用発明の「光位相遅延フィルム３１」は、本願発明の「位相差フィルム」に相当する。
（イ）　引用発明の「反射防止フィルム３０」は、「折り畳み可能な表示装置５０の画像表示面に直接貼り付けられる」ものであり、「光位相遅延フィルム３１、偏光フィルム３２及び保護フィルム３３を、この順序で」「含」む。
　また、引用発明の「反射防止フィルム３０」の「光位相遅延フィルム３１は、折り畳み可能な表示パネル５０の画像表示面に直接、接触」する。
（ウ）　上記（イ）の「反射防止フィルム３０」の各フィルムの順序、「折り畳み可能な表示パネル５０」と「光位相遅延フィルム３１」との「接触」関係、上記（ア）の「光位相遅延フィルム３１」の機能、及び、反射防止技術に係る技術常識から、引用発明の「反射防止フィルム３０」は、円偏光板として機能し、その円偏光機能を利用して反射を防止していると理解できる（当合議体注：引用文献２の[0047]、[0048]の下線の記載、及び、「図１に示した反射防止フィルムを図２に示した折り畳み可能な表示装置に貼り付けた場合に、散乱光／反射光が遮断される原理を説明するための概略図である」図３の記載からも理解できることである。）。
　そうすると、引用発明の「反射防止フィルム３０」は、本願発明の「円偏光板」に相当する。また、上記アより、引用発明は、本願発明の、「円偏光板は」、「偏光子と、該偏光子の一方の側に配置された位相差フィルムとを備え」との要件を具備する。
　ウ　表示装置
（ア）　引用発明の「折り畳み可能な表示装置１００」は、その文言のとおり、「折り畳み可能」なものである。また、引用発明の「折り畳み可能な表示装置１００」は、「反射防止フィルム３０」「を含む」。
　そうすると、上記ア及びイより、引用発明の「折り畳み可能な表示装置１００」は、本願発明の、「円偏光板を備える」及び「屈曲可能な」とされる、「表示装置」に相当する。
　(2)　一致点及び相違点
　ア　一致点
　本願発明と引用発明は、次の構成で一致する。
「　円偏光板を備える屈曲可能な表示装置であって、該円偏光板は、
　偏光子と、該偏光子の一方の側に配置された位相差フィルムとを備えた、
表示装置。」
　イ　相違点
　本願発明と引用発明は、次の点で相違する。
（相違点１）
　「位相差フィルム」が、本願発明は、「面内位相差が、Ｒｅ（４５０）＜Ｒｅ（５５０）＜Ｒｅ（６５０）の関係を満たし」、「遅相軸方向が該表示装置の屈曲方向に対して２０°〜７０°の角度を規定するように調整されており」、「該位相差フィルムが、ポリカーボネート樹脂またはポリビニルアセタール樹脂から形成され」、「光弾性係数の絶対値が、２×１０−１２（ｍ２／Ｎ）以上であ」るのに対して、引用発明は、そのようなものであるかどうか不明である点。
（相違点２）
　「円偏光板」が、本願発明は、「屈曲状態に拘束する状態が解かれた状態において、曲率半径５ｍｍ〜１５ｍｍのいずれかの曲率半径で屈曲させ、２５℃、湿度５０％の環境で２４時間保持した後の屈曲部分と平坦部分の面内位相差値の差が２ｎｍ以下である」のに対して、引用発明は、そのようなものであるかどうか不明である点。
（相違点３）
　「表示装置の屈曲方向」が、本願発明は、「長手方向または長手方向に直交する方向であ」るのに対して、引用発明は、そのようなものであるかどうか不明である点。
　(3)　判断
　ア　相違点１及び相違点２について
　事案に鑑み、相違点１と相違点２をまとめて検討する。
（ア）　引用発明の「偏光フィルム３２」は、「軟質材料」「を１つの方向に延伸することによって形成され」るものであるところ、一軸延伸により形成される「偏光フィルム」においては、延伸方向が「偏光フィルム」の吸収軸方向となることは技術常識である。そうすると、「反射防止フィルム３０の折り曲げ軸（すなわち、折り畳み可能な表示装置１００の折り曲げ軸）の方向と偏光フィルム３２の材料が延伸される方向が互いに直交する関係」としている引用発明においては、「折り畳み可能な表示装置１００」の折り曲げ軸の方向と、「偏光フィルム」の吸収軸方向が互いに直交しているといえる。
　また、引用発明の「反射防止フィルム３０」は、円偏光板として機能するものであるから、「光位相遅延フィルム３１」（「１／４波長板」）の遅相軸方向と、「偏光フィルム３２」の吸収軸方向が４５度となるよう配置されていることは、原理上、明らかである。そうすると、引用発明においては、「光位相遅延フィルム３１」の遅相軸方向は、「折り畳み可能な表示装置１００」の折り曲げ軸の方向と４５度をなすと理解できる。
　ここで、本件出願の明細書の【００１４】の「図２（ａ）〜図２（ｄ）に示すように、第１の位相差フィルム２０の遅相軸方向は、表示装置の屈曲方向に対して角度αを規定するよう調整されている。」との記載から理解される図２（ａ）〜図２（ｄ）の「表示装置の屈曲方向」（点線の矢印の方向に対応する）と、引用文献２の図４から理解される「折り畳み可能な表示装置１００」の折り曲げ軸（ＦＯＬＤＩＮＧ）の方向を比較すると、両者は直交する関係にあると理解できる。そうしてみると、引用発明においては、「光位相遅延フィルム３１」の遅相軸方向は、「表示装置の屈曲方向」に対応する、「折り畳み可能な表示装置１００」の折り曲げ軸の方向と直交する方向と同じく４５度をなしていると理解できる。
　してみると、相違点１のうち、「円偏光板」の「位相差フィルム」の「遅相軸方向が該表示装置の屈曲方向に対して２０°〜７０°の角度を規定するように調整されており」とのことは相違点とはならない。
（イ）　また、［A0］１／４波長板及び偏光子から成る円偏光板（円偏光機能）の広帯域化が求められること、[A1]従来の１／４波長板の波長分散特性とは異なり、長波長になるほど複屈折が大きくなる逆波長分散特性を有する、ポリカーボネートフィルム（例えば、２００１年に上市された帝人株式会社製「ピュアエース（Ｒ）　ＷＲ」（当合議体注：登録商標を示す「上付き」の丸囲み「Ｒ」を、「（Ｒ）」で代替して表記することとする。））あるいはポリビニルアセタールフィルムなどからなる広帯域１／４波長板が開発されたこと、[A2]この広帯域１／４波長板を用いて円偏光板の広帯域化を行うことは、いずれも先の出願前の当業者の技術常識、あるいは周知の技術である。また、上記[A2]の円偏光板の広帯域化技術は、１／４波長板に１／２波長板を特定角度で貼り合わせて積層する従来の円偏光板の広帯域化技術に比較して、製造工程の煩雑化の解消、歩留まりの向上、貼合角度ずれ、光学軸ずれによるコントラスト等の低下、円偏光板の品質・性能のバラツキなどの点で優れることも、先の出願前の当業者の技術常識である（例えば、下記の（ｃ）の６３頁左欄を参照。）。
　上記技術常識を示す文献として、例えば、上記[A0]〜[A2]について、（ａ）原査定の拒絶の理由において引用された特開２０１２−１３４１１７号公報（引用文献３）の【００３３】、【０１４６】及び【０１４７】等、（ｂ）同国際公開第２０１２／０７７６６３号公報（引用文献４）の請求項１、［０００８］、［００４４］、［００７２］〜［００８０］、［００８４］、［００９４］〜［０１１３］（特に、［００９７］［表１］の実施例１〜１０の波長分散性）、［０１１８］〜［０１１９］等、（ｃ）内山　昭彦　他，ディスプレイの最新光学設計技術　ＬＣＤ用広帯域位相差フィルム「ピュアエース（Ｒ）　ＷＲ」，月刊ディスプレイ，株式会社テクノタイムズ社，２００３年１月１日，第９巻，第１号，８７〜９５頁（特に、６２〜６４頁、６７頁）等、（ｄ）月刊ディスプレイ，株式会社テクノタイムズ，２００５年７月１日，第１１巻，第７号，「資料請求番号　０１６」頁等、（ｅ）特開２００６−３５０２９１号公報の【００４８】等を参照。
（ウ）　引用発明の「折り畳み可能な表示装置１００」に関し、引用文献２の[0007]には、「これまでに開発された反射防止フィルムの材料は、比較的曲げに弱いため、折り畳み可能な表示装置の折り畳みと展開を繰り返すことにより、反射防止フィルムが破損する可能性がある。例えば、反射防止フィルムは、保護フィルムにはトリアセチルセルロース、光位相遅延フィルムには延伸されたポリカーボネート（「ＰＣ」）を採用するのが一般的であるが、このような材料は硬い材料であり、折り曲げたときに破損しやすい。」との記載がある。
　引用文献２の[0007]の記載に接した当業者は、引用発明の「光位相遅延フィルム３１」として、「硬い材料であり、折り曲げたときに破損しやすい」ポリカーボネートフィルムを用いることは適切でないと一応理解する。
　しかしながら、ポリカーボネートからなる「ピュアエース（Ｒ）　ＷＲ」フィルムが可撓性を有することは、先の出願前の当業者に周知の事項である。
　上記周知の事項を示す文献として、例えば、（ｆ）国際公開第２００６／０１９１８４号の１頁５〜２４行、４頁１〜３行、７頁１２〜８頁３行、３１頁１３〜２０行（６ｍｍΦのステンレス製ロッドを用いた「耐屈曲性試験法」について）、３３頁１６行〜３５頁１２行（実施例１において、高分子フィルムとして、帝人化成株式会社製「ピュアエース　ＷＲ」を用い、耐屈曲性試験を実施すること）、（ｇ）特開２００７−２３３２１５号公報の【０００７】、【００１３】、【０１１５】（３ｍｍφのスチール製の棒を用いた「可撓性試験」について）、【０１４３】（実施例３として、偏光子Ｐの一面に、Ｒｅ（４５０）／Ｒｅ（５５０）が０．８６のポリカーボネートフィルム（帝人社製　商品名「ピュアエース　ＷＲ−Ｗ」を、偏光子の透過軸とポリカーボネートフィルムの遅相軸の交差角が４５度になるように重ね、観察者側偏光板ＦＰ３を作製し、可撓性試験を行うこと）、【０１５４】【表１】、（ｈ）特開２００６−２８２６７９号公報の【００６３】（可撓性を有する基材として、ポリカーボネート（ＰＣ）誘導体である、「帝人（株）：ＷＲＦ−５、ピュアエース」があること）等を参照。また、「ピュアエース（Ｒ）　ＷＲ」フィルムは一軸延伸により作製されるものである（例えば、上記（ｅ）の【００４８】参照。）。
　引用発明の「折り畳み可能な表示装置１００」において、表示品質の点から、円偏光板として機能する「反射防止フィルム３０」の広帯域化は好ましいことである。そうしてみると、引用文献２の[0007]の記載に拘わらず、引用発明において、「軟質材料」「を１つの方向に延伸させて形成され」、「１／４波長板として機能し」、「可撓性と軟質性とを有する材料を含み」とされる「光位相遅延フィルム３１」として、優れた広帯域円偏光板を構成でき、広帯域１／４波長板として周知・市販の「ピュアエース（Ｒ）　ＷＲ」を採用することは、上記（イ）の技術常識を備えた先の出願前の当業者が考えることである。
（エ）　以上勘案すると、引用発明において、「反射防止フィルム３０」の「光位相遅延フィルム３１」として、先の出願前に周知の、逆分散特性を有し、広帯域１／４波長板として機能する「ピュアエース（Ｒ）　ＷＲ」を採用することは、当業者が容易になし得たことである。そして、引用発明においてこのような設計変更を施してなるものにおいては、相違点１のうち、「面内位相差が、Ｒｅ（４５０）＜Ｒｅ（５５０）＜Ｒｅ（６５０）の関係を満たし」、「位相差フィルムが、ポリカーボネート樹脂」「から形成され」、「光弾性係数の絶対値が、２×１０−１２（ｍ２／Ｎ）以上であ」るとの事項を具備することとなる（当合議体注：「ピュアエース（Ｒ）　ＷＲ」の光弾性係数については、上記（ｃ）の６７頁表１、（ｄ）の「資料請求番号　０１６」頁「ピュアエース（Ｒ）光学物性表」等を参照。）。
　また、引用発明においてこのような設計変更を施してなるものにおいては、相違点２に係る、「円偏光板」が、「屈曲状態に拘束する状態が解かれた状態において、曲率半径５ｍｍ〜１５ｍｍのいずれかの曲率半径で屈曲させ、２５℃、湿度５０％の環境で２４時間保持した後の屈曲部分と平坦部分の面内位相差値の差が２ｎｍ以下である」との事項を満足する蓋然性が高い（当合議体注：「光位相遅延フィルム３１」（「ピュアエース（Ｒ）　ＷＲ」）、「偏光フィルム３２」及び「保護フィルム３３」の全てが可撓性、軟質性を有する材料を含むこと、また、「光位相遅延フィルム３１」の遅相軸方向が「折り畳み可能な表示装置１００」の折り曲げ軸の方向と４５度をなすとの配置を考慮すれば、「屈曲状態に拘束する状態が解かれた状態において」、少なくとも「曲率半径」「１５ｍｍ」「の曲率半径で屈曲させ、２５℃、湿度５０％の環境で２４時間保持した後の屈曲部分と平坦部分の面内位相差値の差が２ｎｍ以下」となる、あるいは、「曲率半径５ｍｍ〜１５ｍｍのいずれかの曲率半径で屈曲させ、２５℃、湿度５０％の環境で２４時間保持した後の屈曲部分と平坦部分の面内位相差値の差が２ｎｍ以下」となる蓋然性が高い。）。
イ　相違点３について
　引用発明において、「折り畳み可能な表示装置１００の折り曲げ軸」の方向を、「折り畳み可能な表示装置１００」の長手方向又は長手方向に直交する方向とすることは、当業者の任意である（当合議体注：引用文献２の図４には、折り畳み可能な表示装置１００の折り曲げ軸の方向を、長手方向に直交する（短手）方向とする、すなわち、「折り畳み可能な表示装置１００」の屈曲方向を、長手方向とすることが示唆されているといえる。）。
　相違点１〜相違点３をまとめて検討したとしても同様である。
ウ　発明の効果について
（ア）　本件出願明細書の【０００７】には、【発明の効果】として、「本発明によれば、屈曲可能な表示装置に用いられる円偏光板において、位相差フィルムとして逆分散の波長依存性（逆分散波長特性）を示す位相差フィルムを用い、かつ、当該位相差フィルムの遅相軸方向を表示装置の屈曲方向に対して所定方向となるように調整することにより、優れた反射色相が得られ、かつ、屈曲による色変化が抑制された、屈曲可能な表示装置を実現し得る円偏光板を得ることができる。」ことが記載されている。
　（イ）　しかしながら、上記（ア）の各効果は、「反射防止フィルム３０は、光位相遅延フィルム３１、偏光フィルム３２及び保護フィルム３３の全てが可撓性と軟質性とを有する材料を含み、その結果として、折り畳みと展開とを繰り返すことに伴い、比較的少量の応力を受け、反射防止フィルム３０が破損しにくく、反射防止フィルム３０を折り畳んだ跡が残らない」とされる引用発明の「光位相遅延フィルム３１」として、逆波長分散特性を有し、広帯域１／４波長板として機能する「ピュアエース（Ｒ）　ＷＲ」を採用してなるものも奏する効果である。あるいは、上記（ア）の各効果は、引用文献２の記載に接した当業者が期待する効果にすぎない。
エ　審判請求人の主張について
（ア）　請求人は、審判請求書において、引用文献２に基づく拒絶理由（進歩性）について、「逆波長分散特性を示す位相差フィルムは、光弾性係数の絶対値が大きいものが多く、小さな曲率半径で表示装置を屈曲させた場合の色変化が顕著です。本願発明においては、位相差フィルムに、色変化が大きい逆分散材料を選択しながらも、小さな厚みでも十分な位相差の確保しつつ、表示装置の屈曲性を維持し、かつ、屈曲時の応力による色変化が抑制された円偏光板が得られます（［００２４］）。」、「一方、引用文献２は、位相差フィルムの材料としてシクロオレフィンポリマーを開示するのみです。引用文献２においては、位相差フィルムの材料に逆分散特性を示す樹脂を選択する動機付けがありません。さらに、本願発明のように、色変化の大きく、光弾性係数が一定値以上の逆分散材料をあえて選択し、十分な位相差の確保、表示装置の屈曲性の維持および屈曲時の応力による色変化の抑制という効果の両立を行う動機付けはありません。したがって、本願発明は、引用文献２に対して進歩性を有します。」と主張する。
（イ）　しかしながら、引用発明において、「シクロオレフィンポリマー」は、「光位相遅延フィルム３１」の軟質材料として例示のもの（引用文献２の[0036]）にすぎず、必須の材料ではない（当合議体注：シクロオレフィンからなる「光位相遅延フィルム３１」が、引用文献２でいう発明の「反射防止フィルム」及び「折り畳み可能な表示装置」の必須な構成でないことは、引用文献２の特許請求の範囲の請求項１及び請求項９の記載からも理解できる。）。
　また、１／４波長板及び円偏光板の広帯域化は、先の出願前に周知の技術的課題であるところ、引用発明の折り畳み可能な表示装置においても、表示品質の観点から、１／４波長板及び円偏光板の広帯域化が好ましいことはいうまでもない。そうすると、引用発明の「光位相遅延フィルム３１」として、逆波長分散特性を示す材料・フィルムを採用・選択する動機付けがあるということができるし、当業者は、容易に入手できる市販の「ピュアエース（Ｒ）　ＷＲ」の採用をまず検討する。
オ　まとめ
　以上のとおりであるから、本願発明は、引用発明及び周知技術に基づいて、先の出願前に当業者が容易に発明をすることができたものである。
第３　まとめ
　本願発明は，引用文献２に記載された発明及び周知技術に基づいて、先の出願前に当業者が容易に発明をすることができたものであるから、特許法２９条２項の規定により特許を受けることができない。
　したがって、他の請求項に係る発明について検討するまでもなく、本件出願は拒絶すべきものである。
　よって、結論のとおり審決する。